(57)【要約】【課題】  省スペースな構成で移動方向に沿って正確にガイドすることが可能な移動機構を備える光学機器を提供することを課題としている。【解決手段】  上記課題の解決のために、本発明における光学機器は、光学系と、第一の接触面と第一の支持面とを有するベース部材と、前記光学系を保持し、前記第一の接触面及び前記第一の支持面のそれぞれに対向する第二の接触面及び第二の支持面を有するとともに、前記ベース部材に対して相対移動が可能な移動部材と、前記第一及び第二の接触面と前記第一及び第二の支持面とで囲まれ、前記相対移動の方向に延びる空間に配置され、第一および第二の接触面と接触する転動部材と、前記空間に配置され、前記第一及び第二の支持面と接触する二つ以上のスペーサ部材と、を備えることを特徴とする構成とした。【選択図】  図４
2018173598.tif 000002
【特許請求の範囲】
【請求項１】
光学系と、
第一の接触面と第一の支持面とを有するベース部材と、
前記光学系を保持し、前記第一の接触面及び前記第一の支持面のそれぞれに対向する第二の接触面及び第二の支持面を有するとともに、前記ベース部材に対して相対移動が可能な移動部材と、
前記第一及び第二の接触面と前記第一及び第二の支持面とで囲まれ、前記相対移動の方向に延びる空間に配置され、第一および第二の接触面と接触する転動部材と、
前記空間に配置され、前記第一及び第二の支持面と接触する二つ以上のスペーサ部材と、を備えることを特徴とする光学機器。
【請求項２】
前記スペーサ部材と前記転動部材は、前記相対移動の方向から見て、少なくとも一部が重なるよう配置されていることを特徴とする請求項１に記載の光学機器。
【請求項３】
複数の前記空間を備えており、
三つ以上の前記転動部材を有することを特徴とする請求項１乃至２のいずれか一項に記載の光学機器。
【請求項４】
同一の前記空間を構成する前記第一の接触面と前記第一の支持面がなす角度のうち前記空間側の角度、
および前記第二の接触面と前記第二の支持面がなす角度のうち前記空間側の角度が、いずれも８５度以上９５度以下である
ことを特徴とする請求項１乃至３のいずれか一項に記載の光学機器。
【請求項５】
複数の前記空間を備えており、
前記空間が並ぶ方向に対して、前記第一および第二の支持面が傾いている
ことを特徴とする請求項１乃至４のいずれか一項に記載の光学機器。
【請求項６】
前記第一および第二の支持面の傾きが４０度以上５０度以下であることを特徴とする請求項１乃至５のいずれか一項に記載の光学機器。
【請求項７】
複数の前記空間を備えており、
前記空間が並ぶ方向に対して、前記第一および第二の接触面が傾いている
ことを特徴とする請求項１乃至６のいずれか一項に記載の光学機器。
【請求項８】
前記第一および第二の接触面の傾きが４０度以上５０度以下であることを特徴とする請求項１乃至７のいずれか一項に記載の光学機器。
【請求項９】
前記第一および第二の接触面は、前記転動部材と点接触することを特徴とする請求項１乃至８のいずれか一項に記載の光学機器。
【請求項１０】
前記第一および第二の支持面は、前記スペーサ部材のそれぞれと面接触することを特徴とする請求項１乃至９のいずれか一項に記載の光学機器。
【請求項１１】
前記スペーサ部材の硬度は、前記ベース部材、前記移動部材、および前記転動部材の硬度より小さいことを特徴とする請求項１乃至１０のいずれか一項に記載の光学機器。
【請求項１２】
前記転動部材が、前記第一および二の支持面と接触しないことを特徴とする請求項１乃至１１のいずれか一項に記載の光学機器。
【請求項１３】
前記スペーサ部材が、前記第一および二の接触面と接触しないことを特徴とする請求項１乃至１２のいずれか一項に記載の光学機器。
【請求項１４】
前記スペーサ部材は、前記移動部材の相対移動に際して、前記転動部材が移動する範囲外に配置されることを特徴とする請求項１乃至１３のいずれか一項に記載の光学機器。
【請求項１５】
前記スペーサ部材は、前記第一の支持面あるいは第二の支持面の少なくとも一方に対して摺動可能であることを特徴とする請求項１乃至１４のいずれか一項に記載の光学機器。
【請求項１６】
複数の前記転動部材を回転可能に保持するベアリング板により、複数の前記転動部材がベアリングユニットを構成することを特徴とする請求項１乃至１５のいずれか一項に記載の光学機器。
【請求項１７】
前記ベアリングユニットは、前記ベアリング板の両端に前記転動部材を有し、
前記各転動部材の間に円筒形状のリテーナを有し、
前記リテーナの径は、前記転動部材の外径より小さいことを特徴とする請求項１６に記載の光学機器。
【請求項１８】
光学系と、
第一の接触面と第一の支持面とを有するベース部材と、
前記第一の接触面及び前記第一の支持面のそれぞれに対向する中間接触面、中間支持面を有するとともに、前記ベース部材に対して相対移動が可能な中間移動部材と、
前記第一の接触面及び中間接触面と、第一の支持面及び中間支持面とで囲まれ、前記中間移動部材の相対移動の方向に延びる第一の空間に配置され、第一の接触面および中間接触面と接触する転動部材と、
前記第一の空間に配置され、前記第一及び中間支持面と接触する二つ以上のスペーサ部材と、
前記光学系を保持し、前記中間移動部材が更に有する中間接触面、中間支持面のそれぞれに対向する第二の接触面及び第二の支持面を有するとともに、前記中間移動部材に対して相対移動が可能な移動部材と、
前記中間接触面及び第二の接触面と、前記中間支持面及び第二の支持面とで囲まれ、前記移動部材の相対移動の方向に延びる空間に配置され、中間接触面および第二の接触面と接触する転動部材と、
前記空間に配置され、前記中間支持面及び第二の支持面と接触する二つ以上のスペーサ部材と、
を有し、
前記移動部材が前記ベース部材に対して、相対移動することを特徴とする光学機器。
【請求項１９】
複数の前記中間移動部材を有し、
任意の中間移動部材が有する前記中間接触面、前記中間支持面がそれぞれ、任意の中間移動部材が有する前記中間接触面、前記中間支持面と対向するように構成されており、
前記中間接触面と前記中間支持面とで囲まれ、前記中間移動部材の相対移動の方向に延びる空間に配置され、中間接触面と接触する転動部材と、
前記空間に配置され、前記中間支持面と接触する二つ以上のスペーサ部材と、
を有することを特徴とする請求項１８に記載の光学機器。
【請求項２０】
前記光学系は、左右一対の光学系であって、
前記移動部材、および前記ベース部材は前記光学系の間に配置されることを特徴とする請求項１乃至１９のいずれか一項に記載の光学機器。
【発明の詳細な説明】
【技術分野】
【０００１】
本発明は、移動部を有する光学機器に関する。例えば、フォーカス群を移動させるフォーカス移動部、ズーム群を移動させるズーム移動部や、防振光学系（防振レンズ）や撮像素子を移動させる防振機構を備えた光学機器（双眼鏡、交換レンズ装置、撮像装置等）に関する。
【背景技術】
【０００２】
近年の光学機器、例えば双眼鏡などの光学機器は、光学系を移動させる移動装置を有することが多くなっている。特許文献１の観察装置の発明では、移動部を支持するベース部材に、縦横２箇所、計４箇所の溝部が設けられる。この溝部のそれぞれに、ベース部材を挟んで上下２個ずつ、計８個のボールが係合している。この溝部とボールを有するガイド部によって、光学系の光軸方向への移動をガイドする機構が開示されている。
【先行技術文献】
【特許文献】
【０００３】
【特許文献１】特開２０１０−５４５７３号公報
【発明の概要】
【発明が解決しようとする課題】
【０００４】
この特許文献１に開示された従来技術では、移動方向に沿って正確にガイドするため、ベース部材と移動部材のいずれか一方を、他方に向かって付勢する付勢部材を備えている。このため移動方向と直交する面内でかさばる課題があった。
【０００５】
そこで、本発明は、省スペースな構成で移動方向に沿って正確にガイドすることが可能な移動機構を備える光学機器を提供することを目的としている。
【課題を解決するための手段】
【０００６】
上記目的を達成するために、本発明の光学機器は、光学系と、第一の接触面と第一の支持面とを有するベース部材と、前記光学系を保持し、前記第一の接触面及び前記第一の支持面のそれぞれに対向する第二の接触面及び第二の支持面を有するとともに、前記ベース部材に対して相対移動が可能な移動部材と、前記第一及び第二の接触面と前記第一及び第二の支持面とで囲まれ、前記相対移動の方向に延びる空間に配置され、第一および第二の接触面と接触する転動部材と、前記空間に配置され、前記第一及び第二の支持面と接触する二つ以上のスペーサ部材と、を備えることを特徴とする。
【発明の効果】
【０００７】
本発明によれば省スペースな構成で移動方向に沿って正確にガイドすることが可能な移動機構を備える光学機器を提供することができる。
【図面の簡単な説明】
【０００８】
【図１】実施例１の双眼鏡（光学機器）の外観図
【図２】双眼鏡を光軸ＯＬ、ＥＬをともに含む面で切断した断面図
【図３】双眼鏡を光軸ＯＬに直交する面で切断した断面図
【図４】実施例１のガイド機構の一部を上から見た分解図
【図５】実施例１のガイド機構の一部を下から見た分解図
【図６】実施例１のガイド機構を対物側から見た断面図
【図７】実施例１のガイド機構を接眼側から見た断面図
【図８】実施例１のガイド機構をボールの位置で切断した断面図
【図９】別形状のベアリングユニットの斜視図
【図１０】実施例２の光学機器の一例である交換レンズを搭載した撮像装置のブロック図
【図１１】実施例２のガイド機構を後方から見た分解図
【図１２】実施例２のガイド機構を後方異なる角度から見た分解図
【図１３】実施例２のガイド機構を前方から見た分解図
【図１４】実施例２のガイド機構を前方異なる角度から見た分解図
【図１５】実施例２のガイド機構を前面から見た図
【図１６】実施例２のガイド機構を図１５のＡ−Ａ破断線で切断した断面図
【図１７】実施例２のガイド機構を図１５のＢ−Ｂ破断線で切断した断面図
【図１８】実施例２のガイド機構を図１５のＣ−Ｃ破断線で切断した断面図
【図１９】実施例２のガイド機構を図１５のＤ−Ｄ破断線で切断した断面図
【図２０】実施例２のガイド機構を図１５のＥ−Ｅ破断線で切断した断面図
【図２１】実施例２のガイド機構を図１５のＦ−Ｆ破断線で切断した断面図
【発明を実施するための形態】
【０００９】
以下、本発明の実施例について、図を参照しながら詳細に説明する。各図において、同一の部材については同一の参照番号を付し、重複する説明は省略する。
【実施例１】
【００１０】
図１は、本実施例の双眼鏡（光学機器）の外観斜視図である。双眼鏡は、左右一対の対物光学系（フォーカス群、ズーム群）、左右一対の正立光学系、および左右一対の接眼光学系を有する。左側と右側は観察者の両眼の左右に対応している。図１では、左側の対物光学系の光軸ＯＬと右側の対物光学系の光軸ＯＲは平行であり、光軸ＯＬ、光軸ＯＲの間隔は左側の接眼光学系の光軸ＥＬと右側の接眼光学系の光軸ＥＲの間隔が同一の状態を表している。
【００１１】
前カバー２４は、その先端部で左右の保護ガラスＬ１Ｌ、Ｌ１Ｒを保持する。保護ゴム２６は、左右の保護ガラスＬ１Ｌ、Ｌ１Ｒの外側を覆うことで、落下等による内部への衝撃を緩和する。接眼固定部材１０と前カバー２４は、固定ビス（不図示）により一体化され、左右の光学系やメカニカル構造を収容して保護する。
【００１２】
図２は、図１の状態の双眼鏡を光軸ＯＬ、ＥＬをともに含む平面で切断した断面図であり、左側の光学系を示している。対物光学系は、保護ガラスＬ１Ｌ、および対物レンズ群Ｌ２Ｌを備える。正立光学系は、ポロＩＩ型プリズムＬ３Ｌを備える。接眼光学系は、接眼レンズ群Ｌ４Ｌを備える。接眼レンズ群Ｌ４Ｌの光軸は、接眼光学系の光軸ＥＬに一致する。
【００１３】
前玉鏡筒１Ｌは、対物レンズＬ２Ｌを保持し、固定筒２Ｌに偏芯コロ（不図示）で吊られている。固定筒２Ｌは、対物台３の左側の先端部にビス４で螺合される。前玉鏡筒１Ｌは、偏芯コロで平行偏芯および倒れを調整され、前玉鏡筒１Ｌの光軸が接眼光学系の光軸ＥＬと一致するように光軸直交方向の位置を決められる。
【００１４】
接眼鏡筒５Ｌは、接眼レンズ群Ｌ４Ｌを保持する。プリズムホルダ６Ｌは、ポロＩＩ型プリズムＬ３Ｌを保持する。接眼ホルダ７Ｌは、接眼鏡筒５Ｌを保持する。プリズムホルダ６Ｌと接眼ホルダ７Ｌは、ポロＩＩ型プリズムＬ３Ｌと接眼レンズＬ４Ｌが所定の位置関係になるようにビス等により一体化される。目当てゴム８Ｌは、左側の接眼鏡筒５Ｌに被せられ、目当て側の形状を外側に折り返して、目当て位置を変更することが可能である。
【００１５】
接眼鏡筒５Ｌと接眼ホルダ７Ｌを結合するために、接眼鏡筒５Ｌの外周壁にはオスヘリコイドネジが形成され、接眼ホルダ７Ｌの内周壁にはメスヘリコイドネジが形成されている。接眼鏡筒５Ｌと右側の接眼鏡筒（不図示）のいずれかを回転させて光軸に沿って進退させることで、左右の視度調節が可能となる。以上の構成により、左側の接眼ユニット９Ｌが構成される。同様の構成で、右側の接眼ユニット９Ｒが構成される。
【００１６】
接眼固定部材１０は、左右の接眼ユニット９Ｌ、９Ｒを左右の対物光学系の光軸ＯＬ、ＯＲ回りで回転可能に支持するとともに、左右の対物光学系を光軸に沿って進退させて観察距離に応じたピント合わせ（フォーカシング）を行う構成の支持部である。接眼固定部材１０は、高い剛性と精度が必要なので金属により形成されている。接眼固定部材１０には、対物光学系の光軸ＯＬと同軸の開口部１０Ｌが設けられている。開口部１０Ｌには、プリズムホルダ６Ｌに設けられた円筒部６Ｌａが回転可能に嵌め込まれている。
【００１７】
なお、本実施例では、左側の光学系について説明したが、右側の光学系も同様の構成を有する。
【００１８】
図３は、図２の状態の双眼鏡を図２の破断線で切断した断面図である。左右の連動板１１Ｌ、１１Ｒはそれぞれ、プリズムホルダ６Ｌ、６Ｒの円筒部６Ｌａ、６Ｒａの回転の動きを連動させる。連動板１１Ｌ、１１Ｒはそれぞれ、ギア部１１Ｌａ、１１Ｒａ、および所定の位置に組み込まれることで光軸に沿って付勢力を発生させる複数の腕部１１Ｌｂ、１１Ｒｂを備える。
【００１９】
腕部１１Ｌｂ、１１Ｒｂがそれぞれ接眼固定部材１０を挟んで付勢するように、連動板１１Ｌ、１１Ｒはプリズムホルダ６Ｌ、６Ｒにビスで締結される。ギア部１１Ｌａ、１１Ｒａを噛み合わせることで、左右の接眼ユニット９Ｌ、９Ｒの回転の動きを連動させることができる。
【００２０】
光軸ＥＬ、ＥＲはそれぞれ左右のポロＩＩ型プリズムにより光軸ＯＬ、ＯＲに対して所定量だけ偏芯しているため、接眼ユニット９Ｌ、９Ｒを回転させることで光軸ＥＬ、ＥＲの幅が変化する。これにより、双眼鏡を使用する観察者の左右の瞳の間隔と光軸ＥＬ、ＥＲの間隔を一致させる眼幅調整を行うことが可能となる。
【００２１】
図４は、フォーカス機構のガイド機構の一部を、対物側、上方から見た分解斜視図である。図５は、対物側、下方から見た分解斜視図である。
【００２２】
ベース部材１２は、ビス１３で図２に示した接眼固定部材１０に固定される。観察距離に応じてピント合わせ（フォーカシング）を行うために、ベース部材１２はベアリングユニット１９を介して、フォーカス台１４（移動部材）１４を光軸方向（ｘ軸方向）に相対移動可能に支持する。すなわちベース部材１２は、ベアリングユニット１９を介して、対物光学系を保持したフォーカス台１４（移動部材）の光軸方向（ｘ方向）への相対移動をガイドしている。フォーカス台１４（移動部材）には、左右の対物光学系が固定された対物台３（図２）がビス（不図示）により固定される。なお、移動部材が光学系を移動可能に保持する構成であってもよい。
【００２３】
フォーカス操作ダイアル１６は、送りねじ１５と接眼固定部材１０（図２）を挟み込むようにビス（不図示）で結合されている。そのため、フォーカス操作ダイアル１６は、光軸方向（ｘ軸方向）への動きが規制される。同時に、送りねじ１５とともに定位置で回転可能である。
【００２４】
移動ナット１７はフォーカス台１４（移動部材）にビス１８で固定され、送りねじ１５のねじ部と噛み合う。したがってフォーカス操作ダイアル１６を回転させることで、移動ナット１７は左右の対物光学系を光軸に沿って進退駆動させる。これによって観察距離に応じたピント合わせ（フォーカシング）が行われる。
【００２５】
本実施形態では、フォーカシングのガイド機構は、ベース部材１２、フォーカス台１４（移動部材）、ベアリングユニット１９、およびスペーサ部材２２により構成される。ベース部材１２には、左右方向（ｙ軸方向）に互いに対向し、光軸に沿って延在するＶ字溝１２ａ、Ｖ字溝１２ｂが形成されている。またフォーカス台１４（移動部材）の外周には、ベース部材１２に形成された各Ｖ字溝に対向し、相対移動方向（ｘ軸方向、光軸方向）に沿って延在するＶ字溝１４ａ、Ｖ字溝１４ｂが形成されている。
【００２６】
本実施形態はこれらのＶ字溝が対向する構成により、フォーカス台１４（移動部材）の相対移動方向（ｘ軸方向）に沿って延びる空間を備えていることを特徴の一つとしている。本実施形態では、この空間は左右方向（ｙ軸方向）に２箇所設けられる。具体的には、Ｖ字溝１２ａと１４ａに囲まれる空間と、Ｖ字溝１２ｂと１４ｂに囲まれる空間の２箇所である。
【００２７】
はじめに図６〜８を参照しながら、この空間の構成を説明する。図６は、ガイド機構の対物側（相対移動方向、ｘ軸方向、光軸方向）から見た断面拡大図である。図７は、接眼側（相対移動方向、ｘ軸方向、光軸方向）から見た断面拡大図である。図８は、ガイド機構の対物側（相対移動方向、ｘ軸方向、光軸方向）から見たボールの位置での断面拡大図である。
【００２８】
一つ目の空間を構成するベース部材１２のＶ字溝１２ａは、第一の接触面１２ａ１、第一の支持面１２ａ２を備えている。また、フォーカス台１４（移動部材）のＶ字溝１４ａは、第二の接触面１４ａ１、および第二の支持面１４ａ２を備えている。本実施形態では、これらの第一、および第二の接触面同士が対向するように構成されている。同じく、第一、および第二の支持面同士も対向するように構成されている。
【００２９】
この構成により、相対移動方向（ｘ軸方向、光軸方向）から見ると、対向する第一、および第二の接触面、対向する第一、および第二の支持面に囲まれた矩形の形状を有する空間（１２ａ１、１２ａ２、１４ａ１、１４ａ２で囲まれた空間）が備わる。
【００３０】
加えて、二つ目の空間を構成するベース部材１２のＶ字溝１２ｂもまた、第一の接触面１２ｂ１、第一の支持面１２ｂ２を備えている。また、フォーカス台１４（移動部材）のＶ字溝１４ｂも、第二の接触面１４ｂ１、および第二の支持面１４ｂ２を備えている。本実施形態では、これらの第一、および第二の接触面同士が対向するように構成されている。同じく、第一、および第二の支持面同士も対向するように構成されている。
【００３１】
この構成により、相対移動方向（ｘ軸方向、光軸方向）から見ると、対向する第一、および第二の接触面、対向する第一、および第二の支持面に囲まれた矩形の形状を有する空間（１２ｂ１、１２ｂ２，１４ｂ１，１４ｂ２で囲まれた空間）が備わる。
【００３２】
この空間にスペーサ部材と転動部材が配置されることによって、光軸方向からみてスペーサ部材と転動部材の少なくとも一部の領域が重なった状態で、ガイド機構を構成することができる。
【００３３】
この空間について補足する。本実施形態においては、ベース部材１２のＶ字溝１２ａ（１２ｂ）と、フォーカス台１４（移動部材）のＶ字溝１４ａ（１４ｂ）が対向して、前述の空間を形成している。本実施形態においては、これらのＶ字溝１２ａ（１２ｂ）を構成する第一の接触面１２ａ１（１２ｂ１）と第一の支持面１２ａ２（１２ｂ２）は（同一部材内で、同一の空間を構成している接触面と支持面は）接触している。Ｖ字溝１４ａ（１４ｂ）においても同様である。言い換えると、同一部材内で、同一の空間を構成している接触面と支持面は、交差している。
【００３４】
本実施形態においては、同一部材内で、同一の空間を構成している接触面と支持面は、略９０度（８５度以上９５度以下）をなしている。この角度は、同一部材内で、同一の空間を構成している接触面と支持面のなす角度のうち、前述の空間側の角度である。
【００３５】
続いて、図４〜８を参照しながらこのガイド機構について説明する。
【００３６】
図４に示すように、ベアリングユニット１９はベース部材１２に形成された各Ｖ字溝とフォーカス台１４（移動部材）の有する各Ｖ字溝により囲まれた空間（左右方向に２箇所）に配置される。
【００３７】
ベアリングユニット１９は、５個のボール２０（転動部材）、ベアリング板２１を備える。ボール２０（転動部材）の個数を増やすことにより、落下時の衝撃を受ける点を増やし、打痕を防止する効果を得ることができる。ベアリング板２１は、ベアリングユニット１９内で各ボール２０（転動部材）の光軸方向の相対位置を決める。ボール２０（転動部材）は、ベアリング板２１に対して回転可能である。
【００３８】
一方のベアリングユニット１９の有する各ボール２０（転動部材）は、ベース部材１２のＶ字溝１２ａの下面（第一の接触面）１２ａ１、およびフォーカス台１４（移動部材）のＶ字溝１４ａの上面（第二の接触面）１４ａ１に点接触する。一方、ベース部材１２のＶ字溝１２ａの上面１２ａ２（第一の支持面）、およびフォーカス台１４（移動部材）のＶ字溝１４ａの下面１４ａ２（第二の支持面）には接触しない。
【００３９】
また、他方のベアリングユニット１９に設けられたボール２０（転動部材）は、ベース部材１２のＶ字溝１２ｂの下面（第一の接触面）１２ｂ１、およびフォーカス台１４（移動部材）のＶ字溝１４ｂの上面（第二の接触面）１４ｂ１に点接触する。一方、ベース部材１２のＶ字溝１２ｂの上面１２ｂ２、およびフォーカス台１４（移動部材）のＶ字溝１４ｂの下面１４ｂ２には接触しない。
【００４０】
すなわち、Ｖ字溝１２ａの下面（第一の接触面）１２ａ１、およびＶ字溝１４ａの上面（第二の接触面）１４ａ１がボール２０（転動部材）を挟持する。並びにＶ字溝１２ｂの下面（第一の接触面）１２ｂ１、およびＶ字溝１４ｂの上面（第二の接触面）１４ｂ１がボール２０（転動部材）を挟持する。更に、ベアリングユニット１９によって、ベース部材１２に対して、フォーカス台１４（移動部材）が上下方向（ｚ軸方向）に位置決めされる。
【００４１】
図４に示すように、第一のスペーサ部材２２Ｌ１、第二のスペーサ部材２２Ｌ２、第３のスペーサ部材２２Ｒ１、第４のスペーサ部材２２Ｒ２もまた、前述の空間に配置される。
【００４２】
第一のスペーサ部材２２Ｌ１と第二のスペーサ部材２２Ｌ２は、各々がベース部材１２のＶ字溝１２ａの上面１２ａ２（第一の支持面）、およびフォーカス台１４（移動部材）のＶ字溝１４ａの下面１４ａ２（第二の支持面）に接触する。後述するが、スペーサ部材２２はベース部材１２に対してフォーカス台１４（移動部材）を支持する作用、付勢する作用を奏するので、面接触していることが好ましい。
【００４３】
一方、前述したボール２０（転動部材）の接触面であるベース部材１２のＶ字溝１２ａの下面（第一の接触面）１２ａ１、およびフォーカス台１４（移動部材）のＶ字溝１４ａの上面（第二の接触面）１４ａ１には接触しないことが好ましい。スペーサ部材が第一、二の接触面に接触しないように構成することで、操作時の抵抗が抑えられる。
【００４４】
同様に、第３のスペーサ部材２２Ｒ１と第４のスペーサ部材２２Ｒ２は、各々がベース部材１２のＶ字溝１２ｂの上面１２ｂ２（第一の支持面）、およびフォーカス台１４（移動部材）のＶ字溝１４ｂの下面１４ｂ２（第二の支持面）に面接触する。一方、ベース部材１２のＶ字溝１２ｂの下面（第一の接触面）１２ｂ１、およびフォーカス台１４（移動部材）のＶ字溝１４ｂの上面（第二の接触面）１４ｂ１には接触しないことが好ましい。
【００４５】
第一のスペーサ部材２２Ｌ１と第二のスペーサ部材２２Ｌ２は、相対移動方向（光軸方向、ｘ軸方向）にベアリングユニット１９を挟んで配置されている。同じく、第３のスペーサ部材２２Ｒ１と第４のスペーサ部材２２Ｒ２もまた、相対移動方向（光軸方向、ｘ軸方向）にベアリングユニット１９を挟んで配置されている。
【００４６】
また、各スペーサ部材２２は、フォーカス台１４（移動部材）の移動に際して、ベアリングユニット１９が移動する範囲外に配置されている。加えて、各スペーサ部材２２は、それぞれ第一および第二の支持面に対して摺動可能である。各スペーサ部材２２が、ベアリングユニット１９の移動範囲外にとどまるように、保持する構成としてもよい。この場合、第一あるいは第二の支持面のいずれか一方に対し固定され、他方に対して摺動可能に構成すればよい。
【００４７】
本実施形態におけるスペーサ部材の形状は、円筒形状をしている。円形状をした底面が、支持部に面接触する。側面部分は接触面に接触しない設定だが、本実施形態では接触した場合でも接触面積を少なくすることができる。なおスペーサ部材の形状はこれに限られない。
【００４８】
本実施形態では、ベース部材１２およびフォーカス台１４（移動部材）、ボール２０（転動部材）は金属部材である。一方、第一から第四のスペーサ部材２２Ｌ１、２２Ｌ２、２２Ｒ１、２２Ｒ２は弾性変形可能で、且つ摺動可能な樹脂材料である。例えばポリエーテルイミド樹脂を用いることができる。このように、スペーサ部材２２の硬度は、ベース部材１２、フォーカス台１４（移動部材）、ボール２０（転動部材）よりも小さい。
【００４９】
スペーサ部材２２のもつ弾性によって、第一および第二の支持面は互いに離れる方向に付勢される。一方、転動部材に接触する第一および第二の接触面は、この付勢により互いに近付くように、第一および第二の支持面と同一の空間を囲むように構成されている。すなわち、各スペーサ部材２２により、フォーカス台１４（移動部材）の第二の接触面と、ベース部材１２の第一の接触面とが、上下方向（ｚ方向）に近付く方向に付勢される。
【００５０】
したがって、フォーカス台１４（移動部材）の第二の接触面と、ベース部材１２の第一の接触面とが、ベアリングユニット１９内のボール２０（転動部材）に確実に点接触する。これにより、相対移動方向に沿った正確なガイドの効果を実現することができる。
【００５１】
加えて、本実施形態においては、ボール２０（転動部材）が各挟持部から飛び出ることを防止することができる。
【００５２】
更に、前記スペーサ部材と少なくとも１つの前記転動部材は、前記第一の方向から見て少なくとも一部が重なる、移動方向と直交する面内でかさばらない、省スペースなガイド機構を提供することができる。
【００５３】
また、本実施形態では左右の光学系の間の空間にフォーカス機構を設けたことで、さらにスペースを効率的に使うことができる。
【００５４】
以上説明したように、本実施形態では、省スペースな構成で移動方向に沿って正確にガイドすることが可能な移動機構を備える光学機器を提供することができる。
【００５５】
なお、第一の支持面および第一の接触面の関係を逆（上下方向を逆、ｚ軸方向を逆）にしても同様の効果を得ることができる。この場合は、第一の支持面および接触面のそれぞれと対向する関係にある第二の支持面および第二の接触面の関係も逆になる。
【００５６】
本実施形態では、各Ｖ字溝に囲まれ、スペーサ部材と転動部材が配置される空間が２箇所設けられている。これらの空間が並ぶ方向（本実施形態においては左右方向、ｙ軸方向）に対して、第一の接触面、第一の支持面、第二の接触面、および第二の支持面はいずれも傾斜している。この傾斜の角度は略４５度（４０度以上５０度以下）である。言い換えると、相対移動方向（ｘ軸方向）と直交する方向（ｙ軸方向もしくはｚ軸方向）に対して、前記第一および第二の接触面がほぼ４５度ずつ均等に傾いている。言い換えると、双眼鏡の上下方向もしくは左右方向に対して傾斜している。
【００５７】
図８を用いて補足する。図８の一点鎖線Ｌは、空間が並ぶ方向を示している。第一の接触面角度Θ１は、本実施例においては略４５度（４０度以上５０度以下）である。同じく、第一の支持面角度Θ２も略４５度（４０度以上５０度以下）である。また、第二の接触面角度Θ３、第二の支持面角度Θ４も、略４５度（４０度以上５０度以下）である。
【００５８】
第一の支持面、第二の支持面が前述のように傾斜することで、スペーサ部材によって、フォーカス台１４（移動部材）を鉛直方向に支えることができる。したがって、転動部材の確実な接触に加えて、移動部材の相対移動方向と直交する方向への脱落を防止することができる。本実施形態においては、ベース部材１２とフォーカス台１４（移動部材）の接触を防ぐことができる。傾斜角度は略４５度に限られず、９０度よりも小さければこの効果を得ることができる。
【００５９】
第一の接触面、第二の接触面が前述のように傾斜することで、転動部材が、上下方向（鉛直方向、ｚ軸方向）に加えて、空間が並ぶ方向（左右方向、ｙ軸方向）へも確実にフォーカス台１４（移動部材）に接触していることになる。言い換えれば、前述の二方向への位置決めを、転動部材の接触により行うことができる。これにより、相対移動方向に沿った正確なガイドの効果を実現することができる。傾斜角度は略４５度に限られず、０度以上（９０度未満）であればこの効果を得ることができる。
【００６０】
加えて本実施形態では、前述のように、同一の空間を構成する第一の接触面および第一の支持面は略９０度をなしており、同様に同一の空間を構成する第二の接触面および第二の支持面も略９０度をなしている。この角度は、後述するがより好ましくは８５度以上９５度以下が望ましい。したがってこれを満たすために、接触面角度Θ１、Θ２、支持面角度Θ３、Θ４の角度も更に好ましくは、４２．５度以上４７．５度以下が望ましい。
【００６１】
別の観点では、例えば、ボール２０（転動部材）が各挟持部と接触する点を結ぶ直線を定義する。この直線が相対移動方向（光軸方向、ｘ軸方向）からみて上下方向（ｚ軸方向）に直交する方向に対して傾斜するように、ベース部材１２およびフォーカス台１４（移動部材）に形成された接触面により挟持部が構成されていればよい。
【００６２】
本実施例では、第一の接触面、第一の支持面がそれぞれ、フォーカス台１４（移動部材）が有する第二の接触面、第二の支持面と対向するように構成するために、ベース部材１２およびフォーカス台１４（移動部材）にＶ字溝を形成している。各Ｖ字溝に囲まれて構成される空間に、転動部材、スペーサ部材が配置されている。
【００６３】
このＶ字溝を形成する第一の接触面および支持面は互いに接触している。同じく第二の接触面および支持面は互いに接触している。これらは直接接触していなくても、例えば別の面を介して、対向する関係を保てればよい。例えば転動部材、スペーサ部材に接触しない範囲で各面の間に隅Ｒがあってもよい。
【００６４】
また、Ｖ字溝の角度（スペーサ部材、転動部材が配置される空間のうち、同一の空間を構成する接触面と支持面がなす角度のうち、空間側の角度）はほぼ垂直に構成されている。言い換えれば、第一の接触面および支持面はほぼ垂直に交差している。同じく、第二の接触面および支持面は垂直に交差している。
【００６５】
この角度は、垂直以外でも実施可能である。この角度が１８０度よりも小さければ、Ｖ字溝を形成することができる。つまり、第一の接触面と第一の支持面がなす角度のうち空間側の角度、および第二の接触面と第二の支持面がなす角度のうち空間側の角度は、１８０度未満であることが望ましい。言い換えると、第一の接触面と支持面（第二の接触面と支持面）の表向きを正とする法線ベクトルが、互いに向き合う成分を有していれば、本発明は実施可能である。
【００６６】
この角度は、より好ましくは略９０度（８５度以上９５度以下）であることが望ましい。この構成によって、転動部材の大きさに対して、スペーサ部材が支持する面を最も大きくとれるので、付勢が安定し、より正確なガイドが可能になる効果を奏する。移動部材の移動に際して、スペーサ部材がずれたり、脱落したりすることを防止することができる。
【００６７】
同一の前記空間を構成する接触面と支持面が対向する（これらのなす角度が０度である）関係であっても、本発明を実施することは可能である。例えば、第一の接触面と支持面（第二の接触面と支持面）を接続する面を更に設けて、相対移動方向から見るとコの字型となるように各面を平行、かつ対向するように配置する場合が考えられる。
【００６８】
この場合は、相対移動方向（ｘ軸方向）と直交する方向（ｙ軸方向もしくはｚ軸方向）から見て、第一の接触面と支持面（第二の接触面と支持面）が重ならないように配置されていればよい。言い換えると、第一の接触面と支持面を相対移動方向（ｘ軸方向）にずらして配置すればよい。そして、本実施形態と同様に第一及び第二の接触面同士が対向するように、フォーカス台（移動部材）とベース部材を構成する。同じく、第一及び第二の支持面同士が対向するようにフォーカス台（移動部材）とベース部材を構成する。
【００６９】
このように、転動部材を挟持可能であれば、空間を構成する形状はＶ字溝に限定されない。
【００７０】
本実施形態では、ベアリングユニット１９を複数の同径のボール２０（転動部材）とベアリング板２１で構成している。しかし、図９に示されるように、ベアリング板２１の両端に配置される２つのボール２０（転動部材）と、その間に配置されるリテーナ２３とでベアリングユニットを構成してもよい。
【００７１】
このベアリングユニットにおいて、リテーナ２３の円筒の径は、両端のボール２０（転動部材）の外径より小さい。この構成によって、リテーナ２３は通常、ベース部材１２およびフォーカス台１４（移動部材）の各Ｖ字溝に接触しない。
【００７２】
しかし衝撃を受けた場合は、リテーナ２３は各Ｖ字溝に接触する。リテーナ２３は、両端のボール２０（転動部材）よりも広域で衝撃を受けることができる。したがって、各Ｖ字溝の摺動面にボール２０（転動部材）の打痕がつくことを防止することができる。
【００７３】
また、本実施例では、ボール２０（転動部材）により上下方向（ｚ軸方向）の位置決めを行っている。ボール２０（転動部材）が３つ以上であれば位置決めを行うことができるため、ガイド機構は合計３つのボール２０（転動部材）を備えていることが好ましい。
【００７４】
また、本実施例ではフォーカス機構を外部から手動で操作する構成としているが、移動部材の駆動源はこれに限定されるものではない。
【実施例２】
【００７５】
図１０は、本発明の光学機器の一例である交換レンズが搭載された撮像装置１００のブロック図である。撮像装置１００は、カメラ本体１０１およびレンズ本体１０３（交換レンズ）を備える。本実施例では、レンズ本体１０３はカメラ本体１０１に着脱可能に取り付けられる構成であるが、カメラ本体１０１とレンズ本体１０３は一体的に構成されてもよい。
【００７６】
カメラ本体１０１の内部には、カメラマイコン１１９が内蔵されている。レリーズスイッチ１２０は、レリーズ動作を開始させるためのスイッチである。撮像素子１１０は、被写体像を撮像し、画像信号をカメラマイコン１１９に出力する。
【００７７】
レンズ本体１０３の内部には、レンズマイコン１１１が内蔵されている。カメラマイコン１１９とレンズマイコン１１１は、通信用の接点１０２を介して相互に通信する。
【００７８】
レンズマイコン１１１は、レンズ本体１０３内の状態（ズーム位置、フォーカス位置、または絞り値の状態等）や、レンズ本体１０３に関する情報（開放絞り値、焦点距離、または焦点距離演算に必要なデータ等）をカメラ本体１０１に伝達する。また、レンズマイコン１１１は、振れ補正系１１２（防振ユニット）、フォーカス移動系１１３、および絞り移動系１１４を制御する。
【００７９】
振れ補正系１１２は、振れ補正移動系１１５およびロック・アンロック移動系１１６を備え、レンズマイコン１１１が装置の振れを検出するセンサの出力を用いて算出した制御信号に基づいて補正レンズを移動して像振れ補正を行う。
【００８０】
ロック・アンロック移動系１１６は、像振れ補正が行われていない場合、補正レンズをロックし、像振れ補正が行われる場合、補正レンズのロック解除を行う。
【００８１】
フォーカス移動系１１３は、レンズマイコン１１１からの指令値と位置検出装置の出力に基づいて焦点調節用のレンズを移動してフォーカシングを行う。
【００８２】
絞り移動系１１４は、レンズマイコン１１１からの指令値に基づいて、絞りを設定された位置まで絞る、または開放状態に復帰させる。
【００８３】
防振スイッチ１１７は、像振れ補正を実行する際にオンされるスイッチである。Ａ／Ｍスイッチ１１８は、オートフォーカスとマニュアルフォーカスを選択する際に使用されるスイッチである。
【００８４】
図１１と図１２は、振れ補正系１１２（移動部）を後方から見た分解斜視図である。図１３と図１４は、振れ補正系１１２を前方から見た分解斜視図である。
【００８５】
ベース部材１２１は、中間移動部材１２３を自身に対して相対移動可能に保持する。また、中間移動部材１２３は、可動鏡筒１２２（移動部材）を自身に対して相対移動可能に保持する。したがって、可動鏡筒１２２（移動部材）は、ベース部材１２１に対して相対移動することになる。更に可動鏡筒１２２（移動部材）は、可動レンズＬ１０１（防振光学系）を保持する。したがって、可動レンズＬ１０１（防振光学系）は、ベース部材１２１に対して相対移動する。
【００８６】
まず、可動レンズＬ１０１（防振光学系）の移動の制御について説明する。電気基板１２６はビス１２７でベース部材１２１に固定される。電気基板１２６は振れ補正系１１２を移動制御する。
【００８７】
フレキシブル基板１２８は、振れ補正系１１２に搭載される電気素子と、電気基板１２６を接続する。
【００８８】
移動コイル１２９Ｐ、１２９Ｙは、可動鏡筒１２２（移動部材）に接着により取り付けられ、フレキシブル基板１２８を介して電気基板１２６から電力を供給される。移動コイル１２９Ｐ、１２９Ｙは、それぞれ上下方向の移動力、および左右方向の移動力を発生させる。
【００８９】
駆動磁石１３０、背面ヨーク１３１、および対向ヨーク１３２は、移動コイル１２９Ｐ、１２９Ｙごとに設けられている。駆動磁石１３０は、前後方向にＮ極とＳ極が設けられるように着磁され、移動コイル１２９Ｐに対して異なる磁極面が対面するように上下方向に配置され、移動コイル１２９Ｙに対して異なる磁極面が対面するように左右方向に配置される。
【００９０】
駆動磁石１３０および背面ヨーク１３１は、ベース部材１２１を挟むように接着固定される。対向ヨーク１３２は、固定ビス１３５でベース部材１２１に固定される。対向ヨーク１３２は、駆動磁石１３０および移動コイル１２９Ｐ、１２９Ｙで移動力を発生させるための空気層を形成する。移動コイル１２９Ｐ、１２９Ｙ、駆動磁石１３０、背面ヨーク１３１、および対向ヨーク１３２によって、可動鏡筒１２２（移動部材）を光軸Ｏに直交する平面内で上下方向および左右方向へシフトさせるアクチュエータが構成される。
【００９１】
発光ダイオード１３３Ｐ（ＬＥＤ）は可動鏡筒１２２（移動部材）の上下方向での位置情報を生成し、発光ダイオード１３３Ｙは可動鏡筒１２２（移動部材）の左右方向での位置情報を生成する。発光ダイオード１３３Ｐ、１３３Ｙはそれぞれ、フレキシブル基板１２８に実装され、フレキシブル基板１２８を介して電気基板１２６から電力を供給される。発光ダイオード１３３Ｐ、１３３Ｙは、フレキシブル基板１２８とともに可動鏡筒１２２（移動部材）に固定されている。
【００９２】
位置検出素子１３４Ｐ（ＰＳＤ）は、発光ダイオード１３３Ｐに対向するように配置され、可動鏡筒１２２（移動部材）の上下方向のシフトに応じた信号を出力する。位置検出素子１３４Ｙは、発光ダイオード１３３Ｙに対向するように配置され、可動鏡筒１２２（移動部材）の左右方向のシフトに応じた信号を出力する。位置検出素子１３４Ｐ、１３４Ｙは、電気基板１２６に実装される。
【００９３】
発光ダイオード１３３Ｐ、１３３Ｙから発せられた光は、可動鏡筒１２２（移動部材）に形成されたスリット１２２ｃとベース部材１２１に形成されたスリット１２１ｃを通過する。これによって所定の幅の光となり、位置検出素子１３４Ｐ、１３４Ｙの受光部により検出される。位置検出素子１３４Ｐ、１３４Ｙからの出力に基づいて、可動鏡筒１２２（移動部材）の上下方向および左右方向の位置情報を得ることができる。
【００９４】
なお、本実施例では、ＬＥＤとＰＳＤを組み合わせて可動鏡筒１２２（移動部材）の位置を検出しているが、他の位置検出手段を用いて位置を検出してもよい。
【００９５】
続いて、図１１〜１４を参照しながら相対移動のガイド機構について説明する。
【００９６】
中間移動部材１２３の外周には、光軸方向（ｘ軸方向）に直交する方向にＶ字溝が形成される。上下方向（ｚ軸方向）に沿って、２つの第一Ｖ字溝１２３ａが形成される。左右方向（ｙ軸方向）に沿って、２つの第二Ｖ字溝１２３ｂが形成されている。
【００９７】
ベース部材１２１は、中間移動部材１２３の有する第一Ｖ字溝１２３ａに対向して、上下方向（ｚ軸方向）に沿って延びるＶ字溝１２１ａを有する。このＶ字溝１２１ａと第一Ｖ字溝１２３ａに囲まれた、ｚ軸方向に延びた空間を、第一の空間と称する。第一の空間の延びる方向は、ベース部材１２１に対する中間移動部材１２３の相対移動方向である。第一の空間はｙ軸方向に２箇所設けられる。
【００９８】
ベアリングユニット１２４は、第一の空間に配置される。ベアリングユニット１２４は、中間移動部材１２３をベース部材１２１に対して上下方向（ｚ軸方向）にのみ相対移動させるガイド機構である。この上下方向（ｚ軸方向）のみ相対移動させるガイド機構を、第一のガイド機構と称する。なお、ベアリングユニット１２４の構成は実施例１と同様であるため、説明は省略する。
【００９９】
また前述のように、中間移動部材１２３は、左右方向（ｙ軸方向）に第二Ｖ字溝１２３ｂを更に有する。可動鏡筒１２２（移動部材）は、中間移動部材１２３の有する第二Ｖ字溝１２３ｂに対向して、左右方向（ｙ軸方向）に沿って延びるＶ字溝１２２ａを有する。      
【０１００】
この第二Ｖ字溝１２３ｂとＶ字溝１２２ａに囲まれた、ｙ軸方向に延びた空間を、第二の空間と称する。第二の空間の延びる方向は、中間移動部材１２３に対する可動鏡筒１２２（移動部材）の相対移動方向である。第二の空間はｚ軸方向に２箇所設けられる。
【０１０１】
ベアリングユニット１２４は、第二の空間にも配置される。ベアリングユニット１２４は、可動鏡筒１２２（移動部材）を中間移動部材１２３に対して左右方向（ｙ軸方向）にのみ相対移動させるガイド機構である。この左右方向（ｙ軸方向）にのみ相対移動させるガイド機構を、第二のガイド機構と称する。
【０１０２】
上記第一のガイド機構と、第二のガイド機構を組み合わせる構成により、可動鏡筒１２２（移動部材）は中間移動部材１２３を介して、ベース部材１２１に対して上下方向（ｚ軸方向）、および左右方向（ｙ軸方向）へ相対移動可能にガイドされる。すなわち、可動鏡筒１２２（移動部材）を、可動レンズＬ１０１とともに、光軸Ｏに直交する平面内での移動（２方向へのシフト、回転等）をガイドする。ただし、可動鏡筒１２２（移動部材）の移動範囲は、後述する機構によって制限される。
【０１０３】
以下、図１５〜２１を参照しながら、ガイド機構を詳細に説明する。
【０１０４】
図１５は、振れ補正系１１２を前面から見た図である。
【０１０５】
図１６は、図１５のＡ−Ａ破断線で切断したベース部材１２１と中間移動部材１２３の間のガイド機構の断面図である。
【０１０６】
図１７は、図１５のＢ−Ｂ破断線で切断したベース部材１２１と中間移動部材１２３の間のガイド機構の断面図である。
【０１０７】
図１８は、図１５のＣ−Ｃ破断線で切断したベース部材１２１と中間移動部材１２３の間のガイド機構の断面図である。
【０１０８】
図１９は、図１５のＤ−Ｄ破断線で切断した中間移動部材１２３と可動鏡筒１２２（移動部材）の間のガイド機構の断面図である。
【０１０９】
図２０は、図１５のＥ−Ｅ破断線で切断した中間移動部材１２３と可動鏡筒１２２（移動部材）の間のガイド機構の断面図である。
【０１１０】
図２１は、図１５のＦ−Ｆ破断線で切断した中間移動部材１２３と可動鏡筒１２２（移動部材）の間のガイド機構の断面図である。
【０１１１】
まず、図１９〜２２を用いて、第一の空間に設けられた第一のガイド機構を詳説する。
【０１１２】
ベアリングユニット１２４のボール１２４ａ（転動部材）は、ベース部材１２１のＶ字溝１２１ａの光軸方向で前面（第一の接触面）１２１ａ１に点接触する。同時に、中間移動部材１２３の第一Ｖ字溝１２３ａの後面（中間接触面）１２３ａ１に点接触する。
【０１１３】
一方、実施例１と同様に、ボール１２４ａ（転動部材）は、ベース部材１２１のＶ字溝１２１ａの後面１２１ａ２（第一の支持面）、および中間移動部材１２３の第一Ｖ字溝１２３ａの前面１２３ａ２（中間支持面）には接しない。なお第一の接触面と、中間接触面の関係は、前述した第一の実施例における、第一の接触面と第二の接触面との関係に等しい。
【０１１４】
図２０、図２１に示されるように、スペーサ部材１２５もまた、ベース部材１２１に形成されたＶ字溝１２１ａと中間移動部材１２３に形成された第一Ｖ字溝１２３ａにより囲まれた第一の空間に配置される。また、スペーサ部材１２５は上下方向において、ベアリングユニット１２４を挟んで配置されている。また、中間移動部材１２３の移動に際するベアリングユニット１２４の移動範囲外に配置されている。
【０１１５】
スペーサ部材１２５は、ベース部材１２１のＶ字溝１２１ａの光軸方向の後面（第一の支持面）１２１ａ２、および中間移動部材１２３の第一Ｖ字溝１２３ａの前面（中間支持面）１２３ａ２に、面接触している。一方、スペーサ部材１２５は、ベース部材１２１のＶ字溝１２１ａの前面（第一の接触面）１２１ａ１、および中間移動部材１２３の第一Ｖ字溝１２３ａの後面（中間接触面）１２３ａ１には接触しない。なお第一の支持面と、中間支持面の関係は、前述した第一の実施例における、第一の支持面と第二の支持面との関係に等しい。
【０１１６】
以上により、第一のガイド機構が構成される。
【０１１７】
続いて、図１６〜１８を用いて第二の空間に設けられた第二のガイド機構を詳説する。
【０１１８】
図１６に示されるように、ベアリングユニット１２４のボール１２４ａ（転動部材）は、中間移動部材１２３の第二Ｖ字溝１２３ｂの光軸方向で前面（更なる中間接触面）１２３ｂ１に点接触する。同時に、可動鏡筒１２２（移動部材）のＶ字溝１２２ａの後面（第二の接触面）１２２ａ１に点接触する。
【０１１９】
一方、ボール１２４ａ（転動部材）は、中間移動部材１２３の第二Ｖ字溝１２３ｂの後面１２３ｂ２（更なる中間支持面）、および可動鏡筒１２２（移動部材）のＶ字溝１２２ａの前面１２２ａ２（第二の支持面）には接しない。この場合、前述のように、中間移動部材１２３がベース部材として機能し、可動鏡筒１２２（移動部材）を相対移動させる。なお中間接触面と、第二の接触面の関係は、前述した第一の実施例における、第一の接触面と第二の接触面との関係に等しい。
【０１２０】
図１７、図１８に示されるように、スペーサ部材１２５もまた、中間移動部材１２３に形成された第二Ｖ字溝１２３ｂと可動鏡筒１２２（移動部材）に形成されたＶ字溝１２２ａにより囲まれた第二の空間に配置される。スペーサ部材１２５もまた、ベアリングユニット１２４を挟んで配置されている。また、可動鏡筒１２２（移動部材）の移動に際するベアリングユニット１２４の移動範囲外に配置されている。
【０１２１】
スペーサ部材１２５は、中間移動部材１２３の第二Ｖ字溝１２３ｂの後面（更なる中間支持面）１２３ｂ２、および可動鏡筒１２２（移動部材）のＶ字溝１２２ａの前面１２２ａ２（第二の支持面）に面接触している。また、スペーサ部材１２５は、第二Ｖ字溝１２３ｂの前面（更なる中間接触面）１２３ｂ１およびＶ字溝１２２ａの後面（第二の接触面）１２２ａ１には接触しない。なお中間支持面と、第二の支持面の関係は、前述した第一の実施例における、第一の支持面と第二の支持面との関係に等しい。
【０１２２】
以上により、第二のガイド機構が構成される。
【０１２３】
したがって、本実施形態では、ベース部材と移動部材が中間移動部材を介して保持される。そして第一の実施例と同じメカニズムにより、スペーサ部材１２５が付勢力を発生させる。この付勢力によって、Ｖ字溝１２１ａの前面（第一の接触面）１２１ａ１、および第一Ｖ字溝１２３ａの後面（中間接触面）１２３ａ１がボール１２４ａ（転動部材）と点接触し、ボール１２４ａ（転動部材）を挟持することができる。並びに、第二Ｖ字溝１２３ｂの前面（更なる中間接触面）１２３ｂ１、およびＶ字溝１２２ａ１の後面（第二の接触面）１２２ａ１がボール１２４ａ（転動部材）と点接触し、ボール１２４ａ（転動部材）を挟持することができる。
【０１２４】
以上説明したように、本実施形態では、省スペースな構成で移動方向に沿って正確にガイドすることが可能な移動機構（防振機構）を備える光学機器（交換レンズ）を提供することができる。
【０１２５】
本実施形態では更に、複数のガイド機構を組み合わせることで、簡易な構成で、自由度の高い移動を高精度にガイドすることが可能である。
【０１２６】
なお、本実施例では、各挟持部を構成するために、ベース部材１２１、可動鏡筒１２２（移動部材）、および中間移動部材１２３にＶ字溝を形成しているが、ボール１２４ａ（転動部材）を挟持可能であれば本発明はこれに限定されない。
【０１２７】
すなわち、ボール１２４ａ（転動部材）が各挟持部と接触する点を結ぶ直線を定義する。この直線が可動レンズＬ１０１の相対移動方向に対して各々傾斜するように、ベース部材１２１、可動鏡筒１２２（移動部材）、および中間移動部材１２３に形成された接触部により挟持部が構成されていればよい。例えば、ボール１２４ａ（転動部材）と接する対向する斜面や曲面等のみをベース部材１２１、可動鏡筒１２２（移動部材）、および中間移動部材１２３に形成してもよい。
【０１２８】
本実施例では、ベース部材１２１および可動鏡筒１２２（移動部材）、中間移動部材１２３は樹脂部材、ボール１２４ａ（転動部材）は金属部材である。スペーサ部材１２５は弾性変形可能な摺動可能な樹脂材料であり、ベース部材１２１および可動鏡筒１２２（移動部材）、中間移動部材１２３を形成する樹脂部材より硬度は小さい。
【０１２９】
そのため、スペーサ部材１２５により、ボール１２４ａ（転動部材）は、Ｖ字溝１２１ａの前面１２１ａ１および第一Ｖ字溝１２３ａの後面１２３ａ１、並びに第二Ｖ字溝１２３ｂの前面１２３ｂ１およびＶ字溝１２２ａの後面１２２ａ１に確実に当接する。そして、これらの部材から飛び出ることが防止される。
【０１３０】
本実施形態では、中間移動部材を一つ介在させたが、複数の中間移動部材を組み合わせる構成にすれば、更に高い移動自由度を得ることが可能となる。この場合、任意の中間移動部材における中間接触面、および中間支持面が、任意の中間移動部材における中間接触面、および中間支持面と対向するように構成される。
【０１３１】
本実施形態では、ベース部材１２１、中間移動部材１２３の各第一Ｖ字溝に囲まれ、スペーサ部材と転動部材が配置される第一の空間が２箇所設けられている。これらの空間が並ぶ方向（本実施形態においては左右方向、ｙ軸方向）に対して、第一の接触面、第一の支持面、中間接触面、および中間支持面はいずれも傾斜している。この傾斜の角度は略４５度（４０度以上５０度以下）である。言い換えると、光軸方向（ｘ軸方向）と直交する方向（ｙ軸方向もしくはｚ軸方向）に対して、前記第一および中間接触面がほぼ４５度ずつ均等に傾いている。言い換えると、双眼鏡の上下方向もしくは左右方向に対して傾斜している。
【０１３２】
同じく、中間移動部材１２３、可動鏡筒（移動部材）１２２の各第二Ｖ字溝に囲まれ、スペーサ部材と転動部材が配置される第二の空間が２箇所設けられている。これらの空間が並ぶ方向（本実施形態においては上下方向、ｚ軸方向）に対して、更なる中間接触面、更なる中間支持面、第二の接触面、および第二の支持面はいずれも傾斜している。この傾斜の角度は略４５度（４０度以上５０度以下）である。
【０１３３】
これらの構成によって、中間移動部材１２３、可動鏡筒（移動部材）１２２はいずれも、スペーサ部材によって光軸方向に支えられる。したがって、各接触面への転動部材の確実な接触に加えて、相対移動方向と直交する方向への脱落を防止できる。
【０１３４】
以上、本発明の好ましい実施形態について説明したが、本発明はこれらの実施形態に限定されず、その要旨の範囲内で種々の変形及び変更が可能である。
【符号の説明】
【０１３５】
１２、１２１  ベース部材
１２ａ、１２ｂ、１４ａ、１４ｂ、１２１ａ、１２２ａ  Ｖ字溝
１４  フォーカス台（移動部材）
１９、１２４  ベアリングユニット
２０、１２４ａ  ボール（転動部材）
２２、１２５  スペーサ部材
１２２  可動鏡筒（移動部材）
１２３  中間移動部材
１２３ａ  第一Ｖ字溝
１２３ｂ  第二Ｖ字溝
【図１】
2018173598.tif 000003
【図２】
2018173598.tif 000004
【図３】
2018173598.tif 000005
【図４】
2018173598.tif 000006
【図５】
2018173598.tif 000007
【図６】
2018173598.tif 000008
【図７】
2018173598.tif 000009
【図８】
2018173598.tif 000010
【図９】
2018173598.tif 000011
【図１０】
2018173598.tif 000012
【図１１】
2018173598.tif 000013
【図１２】
2018173598.tif 000014
【図１３】
2018173598.tif 000015
【図１４】
2018173598.tif 000016
【図１５】
2018173598.tif 000017
【図１６】
2018173598.tif 000018
【図１７】
2018173598.tif 000019
【図１８】
2018173598.tif 000020
【図１９】
2018173598.tif 000021
【図２０】
2018173598.tif 000022
【図２１】
2018173598.tif 000023